(57)【要約】【課題】一時的に傘を壁面に立て掛けても傘が倒れてしまわない傘及び傘用保持具を提供すること。【解決手段】シャフトと同軸に形成される握り柄１２の外周位置に傘用保持具１を配置する。傘用保持具１は壁当接面４が形成された本体２と、本体２に附属して握り柄１２の外周を包囲して本体２を握り柄１２の任意の位置に着脱可能とするクリップ３とを有し、握り柄１２に取り付けた状態で傘を握り柄１２側が上側となるようにシャフトを垂直に立設させた際に、壁当接面４がシャフトの軸方向を基準として上向きとなる方向に１０〜２０度のいずれかの角度に傾いて配置されるようにした。【選択図】図２
0003200291.tif 000002
【実用新案登録請求の範囲】
【請求項１】
シャフトと同軸に形成される握り部の外周位置に外方に張り出す突出部を配置するとともに、前記突出部の張り出し方向前面は壁当接面を形成し、前記握り部側が上側となるように前記シャフトを垂直に立設させた際に、前記壁当接面が前記シャフトの軸方向を基準として上向きとなる方向に１０〜２０度のいずれかの角度に傾斜するようにしたことを特徴とする傘。
【請求項２】
前記突出部は前記握り部に対して着脱可能とされていることを特徴とする請求項１に記載の傘。
【請求項３】
傘のシャフトと同軸に形成される握り部の外周位置に装着され、前記傘を壁面に立て掛ける際に使用する傘用保持具であって、
壁当接面が形成された本体と、
同本体に附属して前記握り部の外周を包囲して前記本体を前記握り部の任意の位置に着脱可能とする保持手段とを有し、
前記握り部に取り付けた状態で前記傘を前記握り部側が上側となるように前記シャフトを垂直に立設させた際に、前記壁当接面が前記シャフトの軸方向を基準として上向きとなる方向に１０〜２０度のいずれかの角度に傾いて配置されるようにしたことを特徴とする傘用保持具。
【請求項４】
弾性のある素材から構成されていることを特徴とする請求項３に記載の傘用保持具。
【考案の詳細な説明】
【技術分野】
【０００１】
本考案は壁面に立て掛けることのできる傘及び傘を壁に立て掛けるための傘用保持具に関するものである。
【背景技術】
【０００２】
従来から、畳んだ状態の傘を立てた状態で保持させる手段として、例えば特許文献１の傘掛け装置のような手段が挙げられる。これは前もって壁面に傘を立て掛けるために腕状の柄掛け部１、４等を壁面に取り付けておくものである。
【先行技術文献】
【特許文献】
【０００３】
【特許文献１】特開２００１−３１４３０３号公報
【考案の概要】
【考案が解決しようとする課題】
【０００４】
しかし、このように壁面側に傘掛け装置を設ける手法では、その場所にちょうど傘掛け装置があればよいが、ユーザーが傘を立て掛けたいと思った任意の場所で利用するというわけにはいかない。このような傘を立て掛ける手段がなければ例えば傘の握り柄を壁にもたせ掛けても握り柄は概ね壁に沿って滑ってしまい傘は倒れてしまうことが多い。そのため、例えば外出先で一時的に傘を任意の壁面に立て掛けても傘が倒れてしまわないような傘やそのための傘用のなんらかの手段が求められていた。
本考案は、このような従来の技術に存在する問題点に着目してなされたものである。その目的とするところは、一時的に傘を壁面に立て掛けても傘が倒れてしまわない傘及び傘用保持具を提供することにある。
【課題を解決するための手段】
【０００５】
上記の目的を達成するために手段１では、シャフトと同軸に形成される握り部の外周位置に外方に張り出す突出部を配置するとともに、前記突出部の張り出し方向前面は壁当接面を形成し、前記握り部側が上側となるように前記シャフトを垂直に立設させた際に、前記壁当接面が前記シャフトの軸方向を基準として上向きとなる方向に１０〜２０度のいずれかの角度に傾斜するようにした。
【０００６】
上記のような構成であれば、壁面に傘を立て掛ける際に、１０〜２０度のいずれかの角度に傾斜させて立て掛けるようにすると、握り部から突出する突出部の当接面が壁面に当接するため、傘は斜めに立て掛けられた状態で上部が面で保持されることとなり容易には倒れないため、壁面に一時的に傘を立て掛けることができる。
ここに、壁当接面を１０〜２０度におさまる角度で傾斜させるようにしているのは、傘を立て掛ける際の壁面に対する角度に対応するものであり、１０度より角度が少ないと壁面にもたせ掛ける際の壁当接面にかかる押圧力が少なくなって壁当接面と壁面との摩擦力が少なくなるため傘が倒れやすくなってしまうからである。一方、２０度よりも大きいと傘が斜めになりすぎて特に全長の長い傘では立て掛けた際に下側が壁面から大きく飛び出すことになり、邪魔である。そのためこのような傾斜に納まるのがよい。このような観点から最適な角度としては１３度〜１７度とするのが最もよい。
【０００７】
また、手段２では、前記突出部は前記握り部に対して着脱可能とされているようにした。
このように構成すれば、傘のデザインとして、あるいは傘の操作において邪魔である場合に取り外して使用する際に適宜装着することができて便利である。この手段は手段３とも重複する構成である。
【０００８】
また、手段３では、傘のシャフトと同軸に形成される握り部の外周位置に装着され、前記傘を壁面に立て掛ける際に使用する傘用保持具であって、壁当接面が形成された本体と、同本体に附属して前記握り部の外周を包囲して前記本体を前記握り部の任意の位置に着脱可能とする保持手段とを有し、前記握り部に取り付けた状態で前記傘を前記握り部側が上側となるように前記シャフトを垂直に立設させた際に、前記壁当接面が前記シャフトの軸方向を基準として上向きとなる方向に１０〜２０度のいずれかの角度に傾いて配置されるようにした。
手段３は手段１が傘と一体である場合も含むのに対して、傘とは別体の傘用保持具としての発明であって適宜傘に装着するとした構成である。これによって、従来からある傘にもこの発明を適用することが可能となる。１０〜２０度に傾斜させる点や最適な角度としては１３度〜１７度とする理由については上記と同じである。
【０００９】
また、手段４として弾性のある素材から構成するようにした。
例えば、保持手段の形状が実施の形態のような撓ませて柄に着脱するのであればこのような構成が簡単に着脱ができるため最もよい。弾性のある素材としては、例えば合成ゴムや発泡性の合成樹脂材料、例えば発泡ウレタン等が挙げられる。
【考案の効果】
【００１０】
本出願の各請求項の考案では、傘を壁面に立て掛けても容易に倒れなくなるため、一時的に傘を立てた状態で手放すことが可能となる。
【図面の簡単な説明】
【００１１】
【図１】本考案の実施の形態の傘用保持具の斜視図。
【図２】図１の傘用保持具を傘の柄に取り付けた状態の一部切り欠き斜視図。
【図３】図２の傘を壁面に立て掛けた状態の説明図。
【図４】他の実施の形態の傘の一部切り欠き斜視図。
【考案を実施するための形態】
【００１２】
以下、本考案の傘及び傘用保持具の一実施例について図面に基づいて説明する。
図１に示すように、傘用保持具１は合成ゴム製の一体成形品として構成されている。傘用保持具１は底面が不等脚台形となる四角柱形状の本体２と、本体２の長手方向中央から側方に延出されたクリップ３から構成されている。本体２とクリップ３の高さ（厚み）は同じで本実施の形態では２０ｍｍとされている。本体２の上面２ａと底面２ｂは平行に配置されている。上面２ａ及び底面２ｂに対してクリップ３の基部が連接されている側面２ｃは９０度の角度に構成されている。側面２ｃに対向する側面は当接面４とされている。当接面４は横方向に幅広の一定の面積の平面領域であり、本実施の形態では６０ｍｍの横幅とされている。
当接面４は上面２ａに対して１０５度、底面２ｂに対しては７５度となるように側面２ｃに対して斜状に傾斜して構成されている。当接面４の角度は側面２ｃを基準とした場合には側面２ｃに対して上方（上面２ａ側）に１５度傾斜することとなる。
クリップ３は左右一対の互いに内方に湾曲した腕部５から構成されている。左右の腕部５は鏡像対称となる形状である。左右の腕部５の先端は接近して若干の間隙６が形成されている。左右の腕部５に包囲された内部には円形の外形となる包囲面７が形成されている（間隙６の部分は切れている）。
【００１３】
次に、このような傘用保持具１は傘１０に着脱可能に装着される。図２及び図３に示すように、傘１０はシャフト１１と、シャフト１１の基部側に固着された握り部としての握り柄１２とを有している。握り柄１２はＪの字状に湾曲する湾曲部１３を有する。装着においては傘用保持具１は握り柄１２のシャフト１１と同軸となる位置であって、握り柄１２の湾曲部１３側と逆側に当接面４が指向するようにする。
傘用保持具１を握り柄１２に装着する際は次のようにする。傘用保持具１のクリップ３の間隙６を握り柄１２に強く押しつけることで、左右の腕部５が変形して外方に拡開して握り柄１２の侵入口ができる。そして、握り柄１２がクリップ３内に移動すると変形した腕部５の形状が現状に復帰して包囲面７によって握り柄１２外周が包囲されることとなる。そして、傘用保持具１の握り柄１２の外周に対する位置を調整する。
傘用保持具１を傘１０に装着した状態で図３のようにシャフト１１先端（石突き）を水平な地面Ｇに当接させ、垂直に配置された壁面Ｗに斜めに持たせかけた場合、図３においてシャフト１１が地面Ｇとなす角度θが１０５度でちょうど壁面Ｗに当接面４が押圧状態で密着する。つまり、壁面Ｗと当接面４のなす角度は０度となり、最も壁面Ｗとの摩擦面が大きい状態であり、摩擦力も最も大きくなる。そのため、傘１０は立て掛けた状態で保持されることとなる。また、シャフト１１先端の位置も大きく飛び出すこともないため、このように傘１を立て掛けたとしても通行の邪魔となることもない。傘用保持具１はユーザーが傘１０を立て掛けようと考えた際に適宜柄１２に装着され、ユーザーはなるべくこの１０５度の角度となるように傘を立て掛けるようにする。この角度はシャフト１１を地面Ｇに垂直に起立させて側面２ｃを基準とした場合には壁当接面４がシャフトの軸方向を基準として上向きとなる方向に１５度の角度に傾いて配置されるものである。
【００１４】
尚、この考案は、次のように変更して具体化することも可能である。
・上記では傘用保持具１は傘１０とは別体で構成したが、図４のように握り柄１２に傘用保持具を突出部２１として一体化して構成するようにしてもよい。握り柄１２に突出部２１として一体化する際にはクリップは不要であるため、突出部２１は上記傘用保持具１の本体２と同じあるいは類似する形状であればよい。突出部２１には当接面４と同様の当接面２２が形成されている。当接面２２は傘１０のシャフト１１を垂直に立設させた際にシャフト１１の軸方向を基準として上向きとなる方向に１５度傾斜することとなる。突出部２１は握り柄１２の湾曲部１３側と逆側に当接面４が指向するように配置されている。このように構成することで上記と同様傘１０を壁面Ｗに安定して立て掛けることが可能となる。
・上記実施の形態では傘用保持具１又は突出部２１は地面Ｇとなす角度θが１０５度でちょうど壁面Ｗに当接面４が押圧状態で密着する。つまり、垂直方向に対して１５度の角度をつけるようにしたが、１０度〜２０度の角度の間で適用する傘のサイズに併せて角度を変更することは自由である。なるべく、１３〜１７度におさめるのがよい。
・傘用保持具１又は突出部２１の形状は上記は一例であって、１０度〜２０度内の所定の角度で壁面Ｗに当接面４（又は当接面２２）が押圧状態で密着するのであれば適宜変更は可能である。
・クリップ３以外の保持手段、例えば面ファスナーで構成したベルトを使用してもよい。
・その他、本考案の趣旨を逸脱しない態様で実施することは自由である。
【符号の説明】
【００１５】
１…傘用保持具、２…本体、３…保持手段としてのクリップ、４、２２…壁当接面、１０…傘、１１…シャフト、１２…握り部としての握り柄、２１…突出部、Ｗ…壁面。
【図１】
0003200291.tif 000003
【図２】
0003200291.tif 000004
【図３】
0003200291.tif 000005
【図４】
0003200291.tif 000006